Podtech/llm-jp-corpus-v4-ja_patent huggingface dataset:
(57)【要約】      （修正有）【課題】アクセルとブレーキを踏み間違えると言う、人間の錯誤に起因する事故を防止する手段の提供。【解決手段】車に障害物との距離を検知する距離センサーおよび加速度センサー、車速センサーを設置し、距離センサーで測った距離と加速度センサーで計った加速度、車速センサーで計った速さをコンピューターで比較演算。該演算の結果、距離に対し、加速度および速さが設定値より大きい場合は「衝突モード」に入ったことをコンピューターが判断し、燃料バルブおよびマスターシリンダーに指令を出し、エンジンを止め、ブレーキを緊急作動させ、車を急停止させる。尚、コンピューターには障害物との距離、加速度および速さを比較演算、判定するプログラム（ソフトウェア）を別途開発し入れておくものとする。【選択図】図１
2006123878.tif 000002
【特許請求の範囲】
【請求項１】
アクセルとブレーキの踏み間違えと言う、人間の錯誤に起因する事故を解消する目的で以下の物を車に設置する。
距離センサー
加速度センサー
車速センサー
コンピューター
コンピューターには障害物との距離、加速度および速さを比較演算、判定するプログラム（ソフトウェア）を別途開発し入れておくものとする。距離に対し加速度および速さが設定値を超えて大きい場合は「衝突モード」に入ったと判断、燃料カットと緊急ブレーキの指令を出し車を急停止させる。この一連のシステム。
【発明の詳細な説明】
【技術分野】
【０００１】本発明は自動車の安全に関するものである。
【背景技術】
【０００２】従来はアクセルとブレーキを踏み間違えて事故を起こす場合、防止方法が無かった。
【発明の開示】
【発明が解決しようとする課題】
【０００３】  最近、あるドライバーが後進時にアクセルとブレーキを間違え、店に突っ込んだ。私自身も同様な事故を起こした事があり、この様な事故は相当な件数に登るものと思われる。この様な間違いは、前進時にも起こり得るが後進時が多い。私の体験を述べると、駐車場にバックで入れようとして、後方確認しながら、ゆっくりと後進させていった。頃合と見て、軽くブレーキを踏んだが、車は益々後退する。慌てて急ブレーキをかけたところ、車は急加速して後方の車に激突して止まった。その時、始めて自分がアクセルとブレーキを踏み違えている事に気が付いた。
意識はブレーキのつもりなのに脚はアクセルを踏んでいたのである。先述のドライバーの場合も同じ間違いを起こしたものと思われる。何故このような錯誤を仕出かすのか？。理由は様々あろうが、いずれにしても一瞬の間に起こす事故であり人間の判断力を超える。
本発明は、この課題を解消するためになされたものである。
【課題を解決するための手段】
【０００４】  車に障害物１０との距離を検知する距離センサー２、加速度センサー３、車速センサー４を設置。【０００５】  距離センサー２で計った距離と加速度センサー３で計った加速度および車速センサー４で計った速さをコンピューター５で演算。【０００６】  コンピューター５で演算した結果、距離に対し、加速度および速さが設定値より大きい場合は「衝突モード」に入ったことをコンピュータ５が判断し、燃料バルブ６に指令を送り燃料をカットしエンジン７を止める。同時にマスターシリンダー８に指令を出し、ブレーキ９を緊急作動させ車を急停止させる。
【発明の効果】
【０００７】  ドライバーがアクセルとブレーキを踏み間違えた場合でも、自動車自体が判断し事故を未然に防ぐことができる。いわゆる、自動車を知能化することにより人為的ミスを防止するものである。
【発明を実施するための最良の形態】
【０００８】
【実施例】
【０００９】
【産業上の利用可能性】
【００１０】
【図面の簡単な説明】
【００１１】
【図１】  本発明の系統図である。
【符号の説明】
【００１２】１      自動車本体
２      距離センサー
３      加速度センサー
４      車速センサー
５      コンピューター
６      燃料バルブ
７      エンジン
８      マスター  シリンダー
９      ブレーキ
１０    障害物
【図１】
2006123878.tif 000003
(57)【要約】【課題】  視線を僅かに動かすだけで後方が確認でき、前方の視界を妨げない自動車用のバックミラーを提供する。【解決手段】  枠体の一端を下方に屈折し両端にレンズを設け、レンズから入った光を斜め上に反射するように枠体下部に反射鏡を設け、さらにその光を斜め下に反射しレンズから外部へ抜けるように枠体上部に反射鏡を設け、その光が運転手から見えるように、ダシュボード上に凹面鏡を設けた、視線を僅かに動かすだけで後方が確認でき、前方の視界を妨げないことを特徴とする自動車用のバックミラー。【選択図】  図３
2006123875.tif 000002
【特許請求の範囲】
【請求項１】
枠体の一端を下方に屈折し両端にレンズを設け、レンズから入った光を斜め上に反射するように枠体下部に反射鏡を設け、さらにその光を斜め下に反射しレンズから外部へ抜けるように枠体上部に反射鏡を設け、その光が運転手から見えるように、ダシュボード上に凹面鏡を設けた、視線を僅かに動かすだけで後方が確認でき、前方の視界を妨げないことを特徴とする自動車用のバックミラー。
【発明の詳細な説明】
【技術分野】
【０００１】  本発明は、視線を僅かに動かすだけで後方が確認でき、前方の視界を妨げないことを特徴とする自動車用のバックミラーに関するものである。
【背景技術】
【０００２】  従来、運転手が運転中後方を確認するときは、フロントガラス上部のバックミラーを確認するため、視線を上方へ大きく動かしていた。
【発明の開示】
【発明が解決しようとする課題】
【０００３】  そのために、次のような問題点があった。
視線を上方へ大きく動かすので目が疲れ易く、またバックミラーが大きいために前方の視界を遮っていた。
本発明は以上の問題点を解決するものである。
【課題を解決するための手段】
【０００４】  枠体の一端を下方に屈折し両端にレンズを設け、レンズから入った光を斜め上に反射するように枠体下部に反射鏡を設け、さらにその光を斜め下に反射しレンズから外部へ抜けるように枠体上部に反射鏡を設け、その光が運転手から見えるように、ダシュボード上に凹面鏡を設けた、視線を僅かに動かすだけで後方が確認でき、前方の視界を妨げない。以上を特徴とする自動車用のバックミラーである。
【発明の効果】
【０００５】  本発明は、視線を僅かに動かすだけで後方が確認でき、前方の視界を妨げない。したがって、目が疲れず前方の視界も広いので安全である。
【発明を実施するための最良の形態】
【０００６】  以下、本発明の実施の形態を説明する。
（イ）枠体（１）の端に凹レンズ（２）を設置する。
（ロ）枠体（１）の下部に、凹レンズ（２）に対して斜めに倒した反射鏡（３）を設置する。
（ハ）枠体（１）の上コーナー部に、反射鏡（４）が動くように支点（５）を取り付け設置する。
（ニ）枠体（１）に、枠体（６）が上下に動くように支点（７）を取り付け連結する。
（ホ）枠体（８）に、凹レンズ（９）を設置する。
（ホ）枠体（６）に、枠体（８）をスライド出来るようにかぶせる。
（ヘ）凹面鏡（１０）に、台座（１１）が上下に動くように支点（１２）を取り付け設置する。
本発明は、以上の構成よりなっている。
本発明を使用するときは、枠体（１）を天井のフロントガラス（１３）前の中央に取り付け、凹面鏡（１０）をダッシュボード（１４）に台座（１１）で固定し使用する。
後方視界の調整は、枠体（６）と凹面鏡（１０）及び反射鏡（４）の角度と、枠体（８）のピントを調整することによりおこなう。これにより、後方の景色は枠体（１）の凹レンズ（２）より入り、反射鏡（３）と反射鏡（４）にて反射し凹レンズ（９）を出て、ダッシュボード（１４）上の凹面鏡（１０）に反射し、運転者の目へ届く。
この結果、運転者は視界を僅かに動かすだけで後方を確認でき、前方視界も広くなるので安全である。
【図面の簡単な説明】
【０００７】
【図１】本発明の斜視図
【図２】本発明の断面図  図中の一点鎖線は、光の反射を示すものである。
【図３】本発明の使用状態を示す斜視図
【符号の説明】
【０００８】  １  枠体
２  凹レンズ
３  反射鏡
４  反射鏡
５  支点
６  枠体
７  支点
８  枠体
９  凹レンズ
１０  凹面鏡
１１  台座
１２  支点
１３  フロントガラス
１４  ダッシュボード
【図１】
2006123875.tif 000003
【図２】
2006123875.tif 000004
【図３】
2006123875.tif 000005
(57)【要約】【課題】    自動車のサイドウィンドウ側で、従来のサンバイザーではカバーできない部分からの太陽光により、眩しさを感じながら自動車を運転するという不都合を解決すること。【解決手段】  サンバイザーの一部を横方向に引き出せるようにした伸縮サンバイザーにより、この課題を解決する。【選択図】    図２
2006123881.tif 000002
【特許請求の範囲】
【請求項１】
サンバイザーの一部を、横方向に引き出せるようにしたことを特徴とする伸縮サンバイザー。
【発明の詳細な説明】
【技術分野】
【０００１】  本発明は、伸縮サンバイザーに関するものであり、サンバイザーの一部を横方向に引き出せるようにして、必要に応じてサンバイザーの横方向の遮光面積を増やせるようにしたものである。
【背景技術】
【０００２】  従来から、車両用サンバイザーはその遮光面積の増減ができないものが利用されている。
【発明の開示】
【発明が解決しようとする課題】
【０００３】  しかし、従来のような車両用サンバイザーでは、フロントウィンドウからの太陽光には有効であるが、サイドウィンドウ側で使用した場合その端まではカバーできていない。
本発明は、このようにサイドウィンドウ側でサンバイザーによるカバーができていない部分からの太陽光により、眩しさを感じながら自動車を運転するという不都合を解決することを課題とする。
【課題を解決するための手段】
【０００４】  この課題を解決するための請求項１の発明は、車両用サンバイザーの一部を横方向に引き出せるようにしたことを特徴とする、伸縮サンバイザーである。サイドウィンドウ側で、この伸縮サンバイザーの先端部を引き出して使用すれば、サイドウィンドウ側からの低い角度の太陽光が目に入るのを遮ることができる。
【発明の効果】
【０００５】  本発明により、サイドウィンドウ側のサンバイザーでカバーできていない部分からの、低い角度の太陽光を顔に受けることにより、眩しさを感じながら自動車を運転するという不都合はおきず、したがってより安全に自動車の運転ができる。
【発明を実施するための最良の形態】
【０００６】  図１は、横方向に引き伸ばせることを特徴とする伸縮サンバイザーを、サイドウィンドウ側で最も小さい状態で使用した場合の立面図である。【０００７】  図２は、横方向に引き伸ばせることを特徴とする伸縮サンバイザーを、サイドウィンドウ側で横方向に引き伸ばした状態で使用した場合の立面図である。同図に示すように、従来のサンバイザーでカバーできなかった部分からの太陽光を遮ることができ、眩しさを感じることなく安全に自動車の運転ができる。
【産業上の利用可能性】
【０００８】  本発明に係る伸縮サンバイザーは、工業的に量産する事が可能であるため、産業上の利用可能性を有する。
【図面の簡単な説明】
【０００９】
【図１】  伸縮サンバイザーを、サイドウィンドウ側で最も小さい状態で使用した場合の立面図である。
【図２】  伸縮サンバイザーの一部を、サイドウィンドウ側で横方向に引き出した状態で使用した場合の立面図である。
【符号の説明】
【００１０】  １    フロントウィンドウ
２    外側本体鞘部分
３    内部ストッパー部分
４    内部引き出し部分
５    掴み部分
６    サイドウィンドウ
７    従来のサンバイザー遮光不能部分
【図１】
2006123881.tif 000003
【図２】
2006123881.tif 000004
(57)【要約】【課題】スーパー、コンビニ等の商品陳列棚の棚板の上にこのシートを敷き、その上に商品を陳列 すると、シートの吸着性で商品の散乱を防止できより整理しやすくなる。また、印刷層に於いて木目や石目柄、その他の印刷ができることで陳列商品をより引き立 てることができる。 さらに、このシートを垂直面に貼り、その吸着性を利用して、プライスカード、ポスターを容易に掲示することができる。         【解決手段】上面１を透明で柔軟かつ吸着性のあるシート状の合成ゴムとし、下面３は透明或いは不透明な上面１に用いた同種のシート状の合成ゴムを用い、上面１と下面３の間に印刷を施したフィルム２を挟み、接着させた事を特徴とする吸着性のある散乱防止シート４。【選択図】図１
2006123224.tif 000002
【特許請求の範囲】
【請求項１】
上面（１）を透明で柔軟かつ吸着性のあるシート状の合成ゴムとし、下面（３）は透明或いは不透明な上面（１）に用いた同種のシート状の合成ゴムを用い、上面（１）と下面（３）の間に印刷を施したフィルム（２）を挟み、接着させた事を特徴とする吸着性のある散乱防止シート（４）。
【発明の詳細な説明】
【技術分野】
【０００１】
本発明は、スーパー、コンビニエンスストアー等の陳列棚の上に敷き、商品の整理を容易にし、散乱を防ぐと共に顧客の商品に対するイメージを高める事のできる効果も期待される。
【背景技術】
【０００２】
従来、棚の上に敷かれていたシートは単純な合成ゴム製あるいはビニール製であり、当初は整然と並べられた商品も、販売が進みその数が減ると共に空間が生じ、また散乱して顧客のイメージをそこなう恐れがあった。さらにプライスカード、ポスター掲示においても着脱しにくく、また外した後の貼り付け面に汚染が残るわずらわしさがあった。
【発明の開示】
【発明が解決しようとする課題】
【０００３】
これらの欠点を克服するためには、吸着性があり着脱しやすくかつ意匠性のある       シートの開発が必要であった。
【課題を解決するための手段】
【０００４】
本発明の吸着性のある散乱防止シート４は上面１を透明で柔軟かつ吸着性のあるシート状の合成ゴムとし、下面３は透明或いは不透明な上面１で用いた同種のシート状の合成ゴムを用い、上面１と下面３の間に印刷を施したフィルム２を挟み、接着させた事を特徴とする。
【０００５】
本発明で用いる柔軟かつ吸着性に富むシート状の合成ゴムとしては、例えばシリコンゴムまたはブ   チルゴム等が挙げられる。又印刷を施したフィルム２としては、例えばＰＥＴやポリオレフィン系のフィルムにグラビア印刷、またはインクジェット印刷等の印刷を施したフィルムが挙げられる。
【発明の効果】
【０００６】
本発明の吸着性のある散乱防止シートは上記の通りの構成となっており、上面１と下面３が柔軟性かつ吸着性に富むシート４の合成ゴムからなるので、スーパーやコンビニエンスストアーにおいて商品陳列棚の上に 敷くことにより、シートの吸着性を利用して商品の散乱防止及び整理に役立てることがで     きる。また、上面１と下面３の間で印刷を施したフィルム２が存在しているので、意匠性に富み、陳列ケース等の美観を高くする事ができる。更に、上面１、下面３だけでなく端面にも吸着性があるので、本発明のシート４を棚板の上に用いた場合の前面の端面にプライスカードを貼る事ができる。更に、本発明のシート４を垂直に用いた場合は、表面の吸着性を生かして、ポスター等を貼る事ができる。また、着脱も容易である。
【発明を実施するための最良の形態】
【０００７】
以下、本発明の実施の一例に付き、図面を用いて説明する。図1は本発明のシート４の断面図を示す図である。１は透明で吸着性のあるシート状の合成ゴムからなる上面であり、２は印刷を施したフィルム、３は不透明な吸着性のあるシート状の合成ゴムからなる下面であり、４は上面１と下面３でフィルム２をはさんで接着させた物である。
【実施例１】
【０００８】
上面１はシバタ工業株式会社製の高性能シリコンシートで、色調は透明、  厚み100μ、  硬さはＪＩＳ-Ａ  8を用い、下面３は同じ高性能シリコンシートで、色調はアイボリー色、  厚みは100μ、  硬さはＪＩＳ-Ａ  8を使用した。上面１と下面３の間には徳岡工業株式会社製で、ＰＥＴＧフィルムの表面に木目の印刷を施したフィルムで、厚みは80μをはさみ、これを接着剤を使いプレス機にて接着し、三層構造とした。かくして得られた吸着性のある散乱防止シート４は、この表面及び裏面に吸着性があるので、陳列棚表面に使用することにより陳列商品の散乱を防ぐ事ができ、なおかつ印刷による意匠性向上で陳列商品をよりよく見せる事ができた。
【０００９】
次に、図２で本発明の吸着性のある散乱防止シートを実際に使用している状況の一例に付いて説明する。  コンビニエンスストアーのチルド陳列ケースでの一例である。ａはスチールの背板、bはスチールの棚板、cは陳列商品 、dはプライスカードである。棚板ｂの上に本発明のシート４を用いているので、この前面の端面の吸着性を利用してプライスカードを容易に着脱する事ができる。
【産業上の利用可能性】
【００１０】
シートを装着することにより商品を並べる際、商品のフェイスアップが容易になること、商品の散乱が防止できることにより作業時間が短縮できる。
【００１１】
シートをプライスカード装着面に吸着させることにより、プライスカードの着脱が容易にできる。
【図面の簡単な説明】
【００１２】
【図１】本発明の吸着性のある散乱防止シートの一例の断面図である。
【図２】本発明の吸着性のある散乱防止シートを実際に使用した状況を示す斜視図である。
【符号の説明】
【００１３】
１  上面
２  フィルム
３  下面
４  本発明の吸着性のある散乱防止シート
【図１】
2006123224.tif 000003
【図２】
2006123224.tif 000004
(57)【要約】【課題】従来の方法、溶融押出機にて溶融後ダイスにて引出し、またはロールにて圧延する方法の成形では、溶融状態で粘着性の強いプラスチックは、ダイス、ロールに付着し急速冷却を必要とするため肉厚３ｍｍ以上は成形無理とされ、肉厚製品は粘着性の無いプラスチックが主力であり、例外として合板などに原料と混合された状態で利用されていた。【解決手段】粘着性の強いプラスチック、混合プラスチックでも冷却固化するまで固定すれば成形できる、これを連続してできる方法として上下ローラー駆動によるコンベアーで可能であるが、両サイド及び、必要な形状の製品を得ることが出来ない、この解決として下側を、製品の形状にした金型を連続させ、金型間の隙間、熱による影響の膨張収縮、加工精度の対策と、最終工程の金型の傾きによる製品傷防止を、チェーンとトグル機構の組合せにより解決したものである。【選択図】図１
2006123487.tif 000002
【特許請求の範囲】
【請求項１】
チェーン駆動用歯車１、１Ａ、金型駆動用歯車２、２Ａに、チェーン３、３Ａを介してトグル機構４、４Ａに金型５、５Ａを取り付け、ローラー６、７と、帯鋼または耐熱ベルト８からなるベルトと同速で、金型を押す方向に回転し、連続して圧縮、固定を行う長尺成形装置。
【請求項２】
チェーン３、３Ａに、トグル機構４、４Ａを介し、連続しないチェーン９、９Ａを取り付けた、金型５、５Ａを取り付け、これを駆動することにより、熱による膨張収縮、加工精度等の誤差をチェーン３、３Ａのたるみ、トグル機構４、４Ａの傾きにより対応する装置。
【請求項３】
トグル機構４、４Ａとチェーンとの連結金具１０を、進行方向との反対側を金型の長さと、トグルの長さ、チェーン駆動用歯車の直径に対応する、面取りを行いトグル機構４、４Ａの傾きと金型５、５Ａの回転により、金型全体の上面より突起せず、製品に傷を付けることなく押出せる装置。
【発明の詳細な説明】
【技術分野】
【０００１】  本発明はプラスチックの種類及び発泡等の状況にかかわらず広い範囲に対応し中断なしで長尺成形する方法に関する。
【背景技術】
【０００２】  溶融機ノズルにて形状押し出し、引き抜き方によるか、ローラーにての形状成形、プレスによる圧縮成型であり、個々に適用材料に制限がある。
【発明の開示】
【発明が解決しようとする課題】
【０００３】  粘着性の強い材料では付着して冷却固化しないと離型しない為、長尺製品に制限がある。【０００４】  粘度の低い材料は冷却固化しないと破断し、又流動性がよすぎる為、肉厚の製品に制限がある。【０００５】  以上により、特定の成型法、金型で特定材料しか製品化ができない。
【課題を解決するための手段】
【０００６】  目的を達成するために、連結したチェーンに連続した金型を取り付け、溶融プラスチックを順次受け、成形、圧縮、冷却を連続して行うものである。【０００７】  構造として、トグル機構とチェーンを利用し、熱による膨張収縮、加工精度等の誤差を解消し金型間の隙間を防止する。【０００８】  圧縮状態で固化するまで固定したままで移動し、固化後金型より搬出し、金型はチェーンにより連続回転をおこなう。【０００９】  また最終工程では、トグルの傾きと取付部分からの回転により、製品を損傷することなく金型が移動する。
【発明の効果】
【００１０】  本発明は以上の説明のように構成されているので、以下に記載される効果が生じる。【００１１】  固化するまで加圧、固定を行うので粘着性の強いプラスチックでも成型できる。【００１２】  粘度の低いプラスチックも下金型で溶融プラスチックを受けるので相当の肉厚製品も成型できる。【００１３】  理論的には必要なだけの長さの長尺製品が成型可能になる。【００１４】  溶融機次第で、発泡材、異種混合材でも成型可能であり応用範囲が広い。
【発明の実施するための最良の形態】
【００１５】  図１、図２においてチェーン駆動用歯車１、１Ａと、金型駆動用歯車２、２Ａは、歯車、チェーン、により連動させ速度を同一にし、回転数調整可能とし、ローラー６、７によるベルト８の速度は、回転数微調整可能な、別の駆動装置を取り付けることにより速度を同一とする。
【００１６】  ローラー６、７、補助ローラー１２は上下、前後に調整できる構造とし、厚みの違う製品の成型を可能にすると共に、ベルトの調整と製品肉厚の調整を行える構造とする。
【００１７】  金型駆動用歯車２、２Ａは、前後の調整ができる構造とし、チェーン駆動用歯車１、１Ａとの位置の調整により、金型間の隙間の解消、行過ぎの調整を行う。
【００１８】  上記により全体の速度と肉厚の調整が可能となり溶融能力に合わせた最適の成型速度と、製品が選択できる構造となる。
【００１９】  金型５、５Ａ全体の長さは冷却時間に影響する、断面１０ｍｍ×１００ｍｍの場合で、１分以上は金型内で冷却するだけの設定の長さが必要とし、金型から搬出された後、更に水槽等で冷却する。
【図面の簡単な説明】
【００２０】
【図１】本発明の実施形態を示す部分簡略図
【図２】図１におけるＡ−Ａ断面図
【図３】図１における金型部拡大図
【図４】金型の連続移動図
【符号の説明】
【００２１】１、１Ａ        チェーン駆動歯車
２、２Ａ        金型駆動歯車
３、３Ａ        連続運転用連結チェーン
４、４Ａ        熱による膨張収縮、加工精度及び金型逃げ対策トグル
５、５Ａ        連結製品金型
６、７          耐熱ベルト、帯鋼駆動ローラー
８              耐熱ベルト、帯鋼ベルト
９              金型駆動チェーン
１０            トグル連結金具
１１、１１Ａ    上部金型ガイド
１２            耐熱ベルト、帯鋼ベルト補助ローラー
１３，１３Ａ    金型駆動チェーンガイド
１４，１４Ａ    金型下部ガイド
【図１】
2006123487.tif 000003
【図２】
2006123487.tif 000004
【図３】
2006123487.tif 000005
【図４】
2006123487.tif 000006
(57)【要約】【課題】  開いた書物を押さえるものは、従来、親しみやすさに欠けた。幼い子どもから小学生、中学生や高校生も気軽に使用できるよう、もっと親しみやすくなおかつ使いやすい形状にする。【解決手段】  身近な素材のプラスチックの栞の上部に、同じくプラスチックのクリップを重ねて設け、プラスチックをさまざまな色にする。日頃は本の間に挟んでおき、書物を開いたときクリップで本の端を挟み、栞は書物の下に敷く。【選択図】  図３
2006123488.tif 000002
【特許請求の範囲】
【請求項１】
書物などに挟む栞の上部に、開いた書物が閉じるのを防ぐクリップを設けたことを特徴とするクリップ式ブックウエート。
【発明の詳細な説明】
【発明の詳細な説明】
【技術分野】
【０００１】  この発明は、書物などに挟む栞の上部に、開いた書物が閉じてしまうのを防ぐためのクリップを設けた、クリップ式ブックウエートに関するものである。
【背景技術】
【０００２】  従来、ヘアピン状の銅版やゼムクリップなどで書物の見開きを押さえるものがあった。
【発明の開示】
【発明が解決しようとする課題】
【０００３】  これらは親しみやすさに欠け、幼い子どもや小学生、中学生や高校生には不向きであった。もっと親しみやすくなおかつ使いやすい形状にする。
【課題を解決するための手段】
【０００４】  身近な素材のプラスチックの栞の上部に、同じくプラスチックのクリップを重ねて設け、プラスチックはさまざまな色にする。
本発明は、このような形状よりなるクリップ式ブックウエートである。
【発明の効果】
【０００５】  この発明によれば、栞につけたクリップという形状から親しみやすく使いやすく、またさまざまな色のプラスチックにすることで、幼い子どもや小学生、中学生や高校生も楽しい気持ちで気軽に使用することができる。
これらの結果、本発明の使用により、これまでの課題を解決する。
【発明を実施するための最良の形態】
【０００６】  以下、本発明の実施の形態を説明する。
（イ）図１に示したとおり、栞の上部に栞と同じ幅のクリップを重ねて設ける。
（ロ）栞に設けるクリップはプラスチックとするが、栞もまたクリップを支えられるだけのプラスチックとする。プラスチックは角に危険のないようにする。
（ハ）図２に示したとおり、開いた書物の閉じようとする左右どちらか片側の端をクリップで挟む。そのとき栞は開いた書物の下に敷かれた状態になる。
（ニ）図３に示したとおり、栞は開いた書物の背面で書物の中央を越えていなければならない。背面で栞が書物の中央を越えることで、書物の重みがクリップに与えられ、閉じようとする書物の力をクリップが押さえることができる。
（ホ）栞が背面で書物の中央を越えるためには、書物に対応した栞の長さが重要であるが、最低でも３つのサイズを用意するとよい。以下サイズの一例をクリップと合わせて示す。
文庫本用サイズ  栞        横幅４センチメートル  縦の長さ１４センチメートル。
クリップ        横幅４センチメートル  縦の長さ３センチメートル。
単行本用サイズ  栞        横幅５センチメートル  縦の長さ２０センチメートル。
クリップ        横幅５センチメートル  縦の長さ３．５センチメートル。
Ａ４用サイズ    栞        横幅９センチメートル  縦の長さ２６センチメートル。
クリップ        横幅９センチメートル  縦の長さ４センチメートル。
（ヘ）書物の閉じている状態のときは書物の間に挟んでおく。このときクリップ部分は書物の外に出る。
（ト）書物だけではなく、ノートや説明書など綴じた紙類あるいは重ねた紙などに使用できる。
尚、開いた本が左右同じ位の力で閉じようとするときは、上下どちらかの中央部分をクリップで挟むと良い。
【図面の簡単な説明】
【０００７】
【図１】本発明の平面図である。
【図２】本発明の側面図である。
【図３】本発明の使用状態の正面図である。
【図４】本発明の使用状態の背面図である。
【符号の説明】
【０００８】１  栞
２  クリップ
【図１】
2006123488.tif 000003
【図２】
2006123488.tif 000004
【図３】
2006123488.tif 000005
【図４】
2006123488.tif 000006
(57)【要約】【課題】  この発明は、攪拌水槽機能を兼た練り混ぜミキサーを用いることで生コン用の設備から発生する洗浄排水を、上澄み水と生コンクリート残渣とに分け再利用する循環方法である。管理型産業廃棄物処理場の少ない上、今後もコンクリート廃棄物の減少傾向が期待できないと予想される状況下において、設備投資が安価で、構造も簡単な方法を確立し、セメント、砂、砂利などの資源の有効利用となる産業に奇与したく、この発明をした。【解決手段】  生コンクリート用の設備から発生する排水を、攪拌水槽を兼ねることができる、リサイクル残渣生コン用練り混ぜミキサー（１）へ投入し、このミキサー内で上澄み水及び生コンクリート残渣に分けて再利用することを特徴とした循環方法【選択図】  図２
2006123484.tif 000002
【特許請求の範囲】
【請求項１】
生コンクリート用の設備から発生する洗浄排水を、攪拌水槽を兼ねることができる練り混ぜ用ミキサーで回収し、このミキサー内で上澄み水と生コンクリート残渣とを分離させ、上澄み水は回収水又は洗浄水として再利用し、またスラリ状の生コンクリート残渣は、安定化させ、このミキサー内で練り混ぜを行ない、新たな生コンクリートとして再利用することを特徴とした循環方法。
【発明の詳細な説明】
【技術分野】
【０００１】  この発明は、生コンクリート用洗浄排水の再利用方法に関する。
【背景技術】
【０００２】  従来の生コンリート用排水の再利用方法は、設備が大変複雑であり、また設備そのものも高価であった。
【発明の開示】
【発明が解決しようとする課題】
【０００３】  設備投資が安価で、構造も簡単な方法を確立し、セメント、砂、砂利などの資源の有効利用となる産業に寄与したく、この発明をした。
【課題を解決するための手段】
【０００４】  いまその解決手段を図面に追いながら説明すれば、
（イ）  移動が可能なリサイクル残渣生コン用練り混ぜミキサー（１）を所定の位置に配置する。
このリサイクル残渣生コン用練り混ぜミキサー（１）には、ミキサー内の羽根（２）の回転スピードを調整できるコントローラー付き電動モーター（３）があり、羽根（２）の回転を高速回転や低速回転にできる構造になっている。
（ロ）  基本的な再利用方法は、生コン  プラントミキサーを洗浄する時に発生する排水や、コンクリート製品製造機械等を洗浄する時に発生する排水を直接、リサイクル残渣生コン用練り混ぜミキサー（１）へ投入する。
リサイクル残渣生コン用練り混ぜミキサー（１）に投入された排水は、しばらく自然沈降させ、上澄みの水と残渣生コンとに分離させる、もしくは、沈降を促進させる薬品や分散を促進させる薬品を用いて、羽根（２）を高速回転で攪拌させた後、回転を止め上澄みの水と残渣生コンとに分離させる。
ほどよく分離がととのえば、排出口（４）から上澄み水を取り除く、この上澄み水は、生コンクリートの練り混ぜ水として再利用する。
リサイクル残渣生コン用練り混ぜミキサー（１）に残った、スラリー状の残渣生コンに、セメントの反応を遅らせる遅延剤を添加し安定化させ、羽根（２）を低速回転で攪拌をさせる。
この残渣生コンの使用する時期に達したところで、新たにセメントや砂や砂利等を所定の量を加えて、ほどよく練り混ぜて再利用する。
【発明の効果】
【０００５】  この生コンクリート用排水の循環方法で、再利用すれば資源の有効利用と設備投資の軽減につながるし、従来の循環方法に比べても設備構造が複雑でないので、維持管理の面や全体的な費用の面においても安価なものとなる。
【発明を実施するための最良の形態】
【０００６】  設備の投資が比較的に少なく、固定された設備ではなく移動が可能な設備なので設置場所の選定の必要がなく、リサイクルシステムが簡素な上、従来のシステムと同様な効果が得られることにある。
【実施例】
【０００７】  リサイクル残渣生コン用練り混ぜミキサー（１）にパン形強制練混ぜミキサーを用いた実施例である。
このパン形強制練混ぜミキサーはリフト等で、簡単に移動できるようするとともに、練混ぜ機能の他に攪拌用水槽としての利用できるよう、回収される排水が収納できる容量が確保されるように嵩上された構造となっている。
すなわち、パン形強制練混ぜミキサーは、残渣生コンの練混ぜにも使用できるし、回収された排水の攪拌機能を兼ねるものである。
また、ミキサー内の羽根（２）は、回転スピードを調整できるコントローラー付き電動モーター（３）により、低速回転や高速回転ができるようにすることで、プラントミキサーの洗浄時に発生した排水や製造機械の洗浄時に発生した排水の量に応じて、適性な攪拌能力をもたせることができる。
プラントミキサーの洗浄時に発生した排水やコンクリート製品製造機械の洗浄時に発生する排水は、なるべくサンドホンプ等を使用しないで、直接にシュート等を用いて、リサイクル残渣生コン用練り混ぜミキサー（１）へ投入させる。
回収された排水は、時間が経過すると自然沈降して上澄みの水と残渣生コンに分離するが、作業時間の短縮を図る場合は、高分子凝集剤や高性能分散剤を用いて、コントローラー付き電動モーター（３）で、ミキサー内の羽根（２）の回転スピードを上げて、均一に攪拌をさせてから、回転を止め強制沈降をさせる。
分離された上澄み水は、排出口（４）から上澄み水を収納できる水槽へ移す、この水槽に移された上澄み水は、設備の洗浄水に用いるか、生コンクリート用練混ぜ水として再利用する。
リサイクル残渣生コン用練り混ぜミキサー（１）に残った、スラリ状の残渣生コンはセメントの凝結を遅らせる遅延剤を適量加えることで、安定化させ反応時間を調整する、この残渣生コンは、再利用するまでの期間  ミキサー内の羽根（２）がゆっくりと回転し続けて、攪拌しながら練混ぜを行なう。遅延剤は再利用する期間に見合った適性量を添加する。
再利用する時期に達したとき、新たなセメントを適性量または、新たなセメント、砂、砂利等を適性量加える。
そして、コントローラー付き電動モーター（３）で、ミキサー内の羽根（２）の回転が生コンクリートとして練り上がるスピードに調整しながら、所定の時間練混ぜをおこない、新たな生コンクリートとして再利用するものである。
実績として、プラントミキサーの洗浄から発生した残渣生コンと製品製造機械の洗浄から発生した残渣生コンは、１日に１００リットル程度あり、年間に２６，０００リットル程度が再利用された。
【産業上の利用可能性】
【０００８】  この生コンクリート用排水の循環方法で、再利用されたれるのは残渣生コンのみならず、上澄み水においてもコンクリート用練混ぜ水の他に、プラントミキサー等の洗浄水として利用することもできる。
【図面の簡単な説明】
【０００９】
【図１】  本発明のリサイクル残渣生コン用練り混ぜミキサーの構造を示す正面図である。
【図２】  本発明の生コン洗浄排水の再利用方法を示す工程図である。
【符号の説明】
１  リサイクル残渣生コン用練り混ぜミキサー
２  羽根
３  コントローラー付き電動モーター
４  排出口
【図１】
2006123484.tif 000003
【図２】
2006123484.tif 000004
(57)【要約】      （修正有）【課題】手や体の不自由な人達が体を使わずに読書が出来る事。【解決手段】ロ−ル状の巻紙に文章を印刷し．それを電動送りにする事により．スイッチだけで読書を可能にする事ができ、尚．姿勢に合わせてどの様な向きにでも設置できる物である。【選択図】図−２
2006123483.tif 000002
【特許請求の範囲】
【請求項１】
文字や図等を印刷した長い紙を．パイプ状の巻き芯に巻いた物である。
【請求項２】
［請求項−１］の巻き物を使用する為のケ−スで．手動及び電動により送りと巻き戻し装置を供えた物である。
【発明の詳細な説明】
【発明の詳細な説明】
【０００１】［発明の属する技術分野］
本発明は．手や体の不自由な人が文章を読めるように．スイッチひとつで送り．停止ができ．どのような姿勢に関わらず設置が可能である。
【０００２】［従来の技術］
従来の書籍は．頁の数だけの紙片を綴じ会わせた構造である。
【０００３】［発明が解決しようとする課題］
手や体が不自由で．本等を読みたくとも自分の力ではどうにもならない人達でも．どこか僅かでも動かせるところを使いスイッチを操作すれば．個人にあった速度と態勢がえらべ．目的を達する事ができる。
【０００４】［発明が解決するための手段］
本発明は予め印刷した長い紙を．巻き芯に巻きとり．使用する場合には巻きとり装置のある専用のケ−スに組み込み．表と裏に設けられた平面の通過部で文章を読むことが出来．手や体を動かす事なく目的を達する事が出来る。
【０００５】［発明の実施の形態］
本発明の性能を実現するには．予め印刷した長い紙を．図−１のように巻芯に巻き．図−２のケ−スに設置し巻取芯に巻取る際に．▲１▼及び▲２▼の平面部を通り．その面の文章を読み終えたら巻きとって順に送りながら読み進んで行き．片面が終わったら反転し裏面の文章を巻きもどしながら読み進めば，始めの状態に戻り一巻きの総てを読み終える事が出来る。
【０００６】［発明の効果］
本発明が実現したなら．体の不自由な人は固より．老人のほか健常者の利用も考えられる。
【図面の簡単な説明】［図−１］  ▲１▼  巻きロ−ル      ▲２▼  巻きロールセットケ−ス
［図−２］  使用図
【符号の説明】
▲１▼▲２▼  読みとり面ベ−ス    ▲６▼  中間ロ−ラ−
▲３▼  ケ−ス                    ▲７▼  駆動伝達ベルト
▲４▼  駆動モ−タ−              ▲８▼  ケ−ス支持器具用穴
▲５▼  ロ−ル差込み芯棒
【図−１】
2006123483.tif 000003
【図−２】
2006123483.tif 000004
(57)【要約】【課題】従来の石灯籠は表面に黒黴や汚れが発生する事があった。特に白い色調の石灯籠は汚れが目立つ事があった。石灯籠は重量があり、、外気温の変化に追随出来ず、露頭現象により、露の発生を促し、黴の発生を促進し、汚れを付着させ易い。【解決手段】石灯籠の表面に酸化チタン光触媒を取り付け、酸化チタン光触媒の作用により、紫外線で活性酸素を発生させ、有機物質を分解し、黴や汚れを分解する。また酸化チタン光触媒の超親水性により、石灯籠の表面に発生する露を流して汚れの付着を防止する。【選択図】    図１
2006123486.tif 000002
【特許請求の範囲】
【請求項１】
石灯籠１の表面に酸化チタン光触媒２を取り付けた石灯籠
【発明の詳細な説明】
【発明の詳細な説明】
【技術分野】
【０００１】  この発明は、石灯籠の表面の防黴、防汚に関するものである。
【背景技術】
【０００２】  従来、石灯籠は天然石を彫刻し、作成するものであり、特に表面加工は行っていない。
【発明の開示】
【発明が解決しようとする課題】
【０００３】  緑豊かな庭園に置かれた白い石灯籠は見事に調和して日本人の美意識の高さを誇るものである。従来の石灯籠は天然石を彫刻し、特に表面加工は行っていない為、時間の経過と共に黒黴が発生したり、大気汚染の進んでいる場所では汚れが付着する問題点があった。石灯籠は数百キログラムから数トンの重量物であり、その熱容量の大きさが表面の結露を促進する。夜中の低温で冷え込んだ石灯籠は明け方からの外気温の上昇に追随できず冷たいため、この冷たい表面に触れた外気の水蒸気が飽和して露頭現象を発生させる。夜の気温と昼間の気温の差が大きい春から秋にかけては露の発生も多くなる。この露が黴を発生させ、大気の汚れを付着させる。白い石灯籠以外の苔むした状態を良しとする場合は問題は少ないが、白を基調とした石灯籠の場合は黒黴や汚れは目立って、見苦しくなる。特に近代的なホテル、旅館等に設置する石灯籠は上品な白い色を使用することが多く、これを綺麗に保つことは重要である。
【課題を解決するための手段】
【０００４】  本発明はこの問題点を解決するため、石灯籠の表面に酸化チタン光触媒を付着させて、黴の発生及び汚れの付着を防ぐものである。
【発明の効果】
【０００５】  本発明は以上のような構成であるので、石灯籠の表面に取り付けた酸化チタン光触媒の働きで紫外線により、活性酸素を発生させ、この活性酸素が有機物を分解する力により、黴の発生を防止し、汚れの付着を防止出来る。また酸化チタン光触媒は超親水性の機能があり、石灯籠の表面に発生した露を流し易くし、汚れの付着を防止する。また酸化チタン光触媒は対候性、耐久性に優れ、充分使用可能である。平成１６年１月より同年１０月までの間、石灯籠について次のような実験を行った。
使用石材：花崗岩（御影石）通称真壁石  色調  白
石灯籠  ：重量  約１トン
酸化チタン光触媒はスプレー式を使用
マスキングにより、石灯籠の縦半分に酸化チタン光触媒をスプレー付着させた。
設置場所：茨城県真壁郡真壁町内
以上の実験の結果は次の通りとなった。
イ）石灯籠表面の露の付着については酸化チタン光触媒スプレー処理した表面は明らかに少なかった。
ロ）１月から開始して１０月の段階では酸化チタンスプレー処理した部分はほぼ清浄に保たれていたが、処理をしていない部分は黴、汚れが発生していた。今年は多雨だったことも黴の発生を促したものと考えられる。
【発明を実施するための最良の形態】
【０００６】  本発明の実施例について、図１によって説明する。構成は図に示すように石灯籠１の表面に酸化チタン光触媒２を取り付けたものである。工程は石灯籠の彫刻が完成した段階で表面を良く洗浄、乾燥した後、スプレー式で酸化チタン光触媒２を付着させる。酸化チタン光触媒の成分の例としては酸化チタン成分１０％、界面活性剤２％、セラミックリキッド２％、残りガス体材料である。
【図面の簡単な説明】
【０００７】
【図１】本発明の実施例の形態に従った一実施例の斜視図
【符合の説明】
【０００８】  １：石灯籠
２：酸化チタン光触媒
【図１】
2006123486.tif 000003
(57)【要約】【課題】パソコンなどを使用するときに構造上、ある程度傾斜の付いている面でマウスを使う時があった。しかし従来のマウスパッドではそのまま使用するとマウスが脱落してしまい、その機能を果たすことができなかった。【解決手段】本発明は、上記課題を解決することを目的とし、構造上ある程度傾斜の付いている面にマウスパッドを使用してもマウスが脱落しないように、形状の一片を立ち上げたマウス脱落防止マウスパッドに関するものである。【選択図】図１
2006285633.tif 000002
【特許請求の範囲】
【請求項１】
マウスパッドの一辺を立ち上げた、マウス脱落防止付きマウスパッド。
【発明の詳細な説明】
【技術分野】
【０００１】
本発明は、ある程度傾斜の付いている面で使用してもマウスが脱落しないように、形状の一辺を立ち上げたマウスパッドに関するものである。
【背景技術】
【０００２】
構造上、ある程度傾斜の付いている面でマウスを使うときに従来のマウスパッドではマウスが脱落し、その機能を果たすことができなかった。
【特許文献１】特開２００３−１５７１４７号
【発明の開示】
【発明が解決しようとする課題】
【０００３】
背景技術で述べたように、ある程度傾斜の付いている面でもマウスが脱落しないようなマウスパッドの形状を発明した。
【課題を解決するための手段】
【０００４】
この目的に沿う本発明の脱落防止付きマウスパッドは、マウスパッドの一辺を立ち上げた形状のものである。
【発明の効果】
【０００５】
本発明の脱落防止マウスパッドを使用することにより、ある程度傾斜の付いている面でもマウスが脱落せず、その機能を果たすことができる。
【発明を実施するための最良の形態】
【０００６】
ある程度傾斜の付いている面に、脱落防止マウスパッドを装着し、パッド上にマウスを置くと、立ち上がっている一辺があるためマウスは脱落しない。
【実施例】
【０００７】
図１、本発明の脱落防止マウスパッドの構成例を示す図であり、この例について詳しく説明する。
【０００８】
図１は、脱落防止マウスパッドである。図１に示すようマウスパッド１の一辺２を立ち上げている。この立ち上げの部分があるおかげで、ある程度傾斜の付いている面に装着してもパッド上のマウス３は脱落しない。
【図面の簡単な説明】
【０００９】
【図１】本発明の構成の例を示す脱落防止マウスパッドの斜視図である。
【符号の説明】
【００１０】
１  マウスパッド
２  マウスパッドの一辺
３  マウス
【図１】
2006285633.tif 000003
(57)【要約】【課題】従来のアフィリエイト型インターネット広告配信サービスでは図１のトラフィック解析用ウェブサイト２から広告主用ウェブサイト３へリダイレクトするときに一時的移動ステータスによるリダイレクトを用いていた。そのため、多数の広告掲載ウェブサイトがあるにもかかわらず、広告主ウェブサイトはロボット型検索エンジンで上位表示には結びつかない。【解決手段】図２のトラフィック解析用ウェブサイト６から広告主ウェブサイト７にリダイレクトするときに恒久的移動ステータスによるリダイレクトを行う。本実施形態によれば広告掲載ウェブサイト５から広告主ウェブサイト７へリンクされていることとなるためロボット型検索エンジンにおいて上位表示効果が得られる。【選択図】図２
2006285933.tif 000002
【特許請求の範囲】
【請求項１】
恒久的移動ステータス（ＨＴＴＰステータスコード３０１）を用いる事により、ロボット型検索エンジンにおいて上位表示機能を付加したアフィリエイト型インターネット広告配信サービス。
【発明の詳細な説明】
【技術分野】
【０００１】本発明はアフィリエイト型インターネット広告配信サービスに関する。
【背景技術】
【０００２】従来のアフィリエイト型インターネット広告配信サービスにおいては、図１のように広告掲載ウェブサイト１と広告主ウェブサイト３の間にトラフィック解析用ウェブサイト２を設置し、クリックのカウントや商品の購入、資料請求等の様々なデータを取得している。このトラフィック解析用ウェブサイトから広告主ウェブサイトへは一時的移動ステータスコード（ＨＴＴＰステータスコード３０２）によるリダイレクトが用いられている。
【発明の開示】
【発明が解決しようとする課題】
【０００３】以上に述べたトラフィック用解析ウェブサイトから広告主ウェブサイトへは、リダイレクトに一時的移動ステータスによるリダイレクトを用いられているため、ロボット型検索エンジンにとって広告掲載ウェブサイトから広告主ウェブサイトにリンクされていないのと同じ事となる。【０００４】ロボット型検索エンジンの順位付けには、どれだけ多くのサイトからリンクされているか、また、どれだけ良質なリンクがあるかが焦点となり、従来の手法の場合、リンクされていないこととなるため、ロボット型検索エンジンでの上位表示には影響を及ぼさない。【０００５】本発明ではアフィリエイト型インターネット広告配信サービスにおいて、ロボット型検索エンジンで上位表示機能を付加することを目的とする。
【課題を解決するための手段】
【０００６】本発明は上記目的を達成するために、トラフィック解析用ウェブサイトから広告主ウェブサイトへリダイレクトするときに、恒久的移動ステータスでリダイレクトすることにより、ロボット型検索エンジンにページが恒久的に移動したと認識させ、広告掲載ウェブサイトから広告主ウェブサイトへ直接リンクをされていることと同じにすることを可能とする。そのため、ロボット型検索エンジンにおいて上位表示機能を付加することができる。
【発明の効果】
【０００７】恒久的移動ステータスを用いることで、従来の手法ではリンクと見なされなかった広告掲載ウェブサイトからのリンクが広告主ウェブサイトへのリンクと見なされ、ロボット型検索エンジンにおいて広告主ウェブサイトを上位表示させる事ができる。【０００８】また、広告掲載ウェブサイトはサイトテーマにあった広告を掲載することが多いため、広告主ウェブサイトと広告掲載ウェブサイトは同一テーマを持つ場合が多い。そのため、リンクの質を考慮するロボット型検索エンジンにとっても高い効果が期待できる。
【発明を実施するための最良の形態】
【０００９】以下、本発明の実施の形態を図２に基づいて説明する。【００１０】図２のトラフィック解析用ウェブサイト６から広告主ウェブサイト７にリダイレクトするときに恒久的移動ステータスによるリダイレクトを行う。本実施形態によれば広告掲載ウェブサイト５から広告主ウェブサイト７へリンクされていることとなるためロボット型検索エンジンにおいて広告主ウェブサイトの上位表示効果が得られるものである。
【図面の簡単な説明】
【００１１】
【図１】従来のリダイレクト手法を示した図である。
【図２】本発明の実施形態を示した図である。
【符号の説明】
【００１２】１  広告掲載ウェブサイト
２  トラフィック解析用ウェブサイト
３  広告主ウェブサイト
４  ユーザ
５  広告掲載ウェブサイト
６  トラフィック解析用ウェブサイト
７  広告主ウェブサイト
【図１】
2006285933.tif 000003
【図２】
2006285933.tif 000004
(57)【要約】      （修正有）【課題】キーボードでキー入力を行っている時の手のホームポジションを崩さずに、座標入力装置による座標入力作業を行えるようにする。【解決手段】キーボードのリストレスト部にトラックボールを実装して、トラックボールの左側に左クリックボタン、その右側に右クリックボタンを設置することによって、キー入力を行っている手のホームポジションを崩さずに、トラックボールやボタンを操作して座標入力を行うことができる。【選択図】図３
2006285928.tif 000002
【特許請求の範囲】
【請求項１】
リストレストに対してトラックボールを実装する。
【請求項２】
トラックボールの左に左クリックボタン、右に右クリックボタンを配置する。
【発明の詳細な説明】
【技術分野】
【０００１】本発明はコンピューター、ワードプロセッサー等の情報処理装置の入力装置に関するものである。
【背景技術】
【０００２】従来のリストレストは、コンピュータの操作時に腕や手首の疲労を緩和するためのみを目的としたものである。また、従来のポインティングデバイスには、マウス、トラックパット、トラックボール、トラックポイント等が存在するが、これらはキーボード上のホームポジションを崩して操作しなければ扱うことができなかった。（図１）
【発明の開示】
【発明が解決しようとする課題】
【０００３】従来のポインティングデバイスでは、文章の作成や、プログラミング作業をしているときにセーブ、カーソル移動、文章のスクロールなどちょっとした作業をするときに、ホームポジションを崩してポインティングデバイスまで利き手を移動させる必要があった。そこでこの発明は、ホームポジションを崩さずに上記の様なちょっとした作業をできる様にポインティングデバイスを組み込んだリストレストを提供することを課題とする。
【発明による解決手段】
【０００４】課題を解決するために、リストレストに対してトラックボールを実装して、トラックボールの左側に左クリックボタン、その右側に右クリックボタンを設置する。図２の様にすることによってホームポジションの状態から両手の親指を使用してポインタの操作をできる様にした。（図３）
【発明の効果】
【０００５】本発明の効果としては、ホームポジションを維持したまま座標入力が可能となるため、文章作成作業の効率が良くなる。
【効果を実施するための最良の形態】
【０００６】市販のキーボードのすぐ手前に本発明のリストレストを置き、スペースキーの下にトラックボールを来る様に合わせる。この様に本発明のリストレストを設置すれば、ホームポジションを崩さずにポインタの操作が可能となる。（図３）
【実施例】
【０００７】市販のトラックボールマウスを市販のキーボードのリストレスト部分に組み込み、ホームポジションを崩さずに動作することを実施した。
【産業上の利用可能性】
【０００８】コンピュータ等の入力作業時に、腕や手首の疲労蓄積の緩和と入力補助に用いるリストレスト。
【図面の簡単な説明】
【０００９】
【図１】マウスを利用した従来の作業の図
【図２】本発明の図
【図３】本発明の操作の図
【符号の説明】
【００１０】１  トラックボール２  左クリックボタン３  右クリックボタン４  リストレスト５  接続コード６  キーボード７  スペースキー
【図１】
2006285928.tif 000003
【図２】
2006285928.tif 000004
【図３】
2006285928.tif 000005
(57)【要約】【課題】  通勤中などに手軽に香水を購入するのは販売店が通勤通路などにあるとは限らないので難しい。また、香水を付け忘れた人や、香水の効果が薄れたにもかかわらず、まだ帰れない人が、その日、１日分だけの量の香水がほしい場合など、そういった不都合を解決すること。【解決手段】  容器に入った香水を、自動販売機で販売することと内容量少量の容器に入った香水を販売することにより、この課題を解決する。【特許請求の範囲】
【請求項１】
容器に入った香水を、自動販売機で販売する、という方法。
【発明の詳細な説明】
【技術分野】
【０００１】  この方法の発明は、香水の販売方法であり、香水の販売方法で、香水の需要の増加を計ったものである。
【技術背景】
【０００２】  従来の香水の販売方法は、自動販売機での容器に入れての販売方法は、使われていない。
【発明の開示】
【発明が解決しようとする課題】
【０００３】  従来のような販売方法では、通勤中等に、手軽に購入出来ない場合が多いし、香水をつけわすれたり、携帯するのを忘れたりした人が、その日、１日分だけほしいと思う願いも叶わない。そういった不都合を解決することを課題とする。
【課題を解決するための手段】  この課題を解決するための請求項１の販売方法は、自動販売機で容器に入った香水を販売することで、手軽に購入することが、可能になる。【０００４】    また、少量の内容量の容器に入れて香水を販売するという方法で、その日、１日分だけほしいという人も手軽に購入することが出来る。
【発明の効果】
【０００５】  この方法の発明により、香水をつけるのを忘れた人も、飽き性の人も、手軽に香水を購入できるようになる。
【発明を実施するための最良の形態】
【０００６】    請求項１の方法の発明は、多種類の香水を販売した方が良い。
そして、少量の内容量の容器に入れての販売で、その日の気分でつける香水を変えたいと願う人も手軽に購入出来るようになる。
【産業上の利用可能性】
【０００７】    この方法の発明で必要となる自動販売機も、香水も、工業的に量産することが可能であるため、産業上の利用可能性を有する。